(57)【要約】【課題】アンテナの中間部分が切断されてもＩＣタグの機能が異常をきたさないようにされた識別情報付きケーブルを提供する。【解決手段】ケーブル１２表面の所定位置に配設されたＩＣチップ１４と、ケーブル１２表面の所定位置に配設され、ＩＣチップ１４の接続端子に接続されたアンテナ１６とを備え、アンテナ１６は、ケーブル１２長手方向に、かつ所望の長さを超える長さで直線状に設けられている。ケーブル１２に全長に亘ってＩＣタグとなるＩＣチップ１４とそのアンテナ１６を所定間隔で取り付けたものであるが、ケーブル１２を切り分けて使用する際に、ケーブル１２の切断と共にアンテナ１６も切断されアンテナ１６が所望の長さ以下になってＩＣタグが正常に機能しなくなることを防止している。【選択図】図１
2005347140.tif 000002
【特許請求の範囲】
【請求項１】
ケーブル表面の所定位置に配設されたＩＣチップと、
前記ケーブル表面の所定位置に配設され、前記ＩＣチップの接続端子に接続されたアンテナとを備え、
前記アンテナは、ケーブル長手方向に、かつ所望の長さを超える長さで直線状に設けられていることを特徴とする識別情報付きケーブル。
【請求項２】
請求項１記載の識別情報付きケーブルにおいて、
前記アンテナは、ＩＣチップの両側に、ケーブル長手方向に直線状に設けられていることを特徴とする識別情報付きケーブル。
【請求項３】
請求項１記載の識別情報付きケーブルにおいて、
複数のアンテナがケーブル長手方向に平行に、かつ互いに一部が周方向に間隔を置いて重複するように直線状に設けられ、
前記複数のアンテナの重複する各端部に、前記アンテナと同数のＩＣチップがそれぞれ配設されていることを特徴とする識別情報付きケーブル。
【請求項４】
請求項１ないし３のいずれかに記載の識別情報付きケーブルにおいて、
前記アンテナは、前記ケーブル表面に、導電性のインクを用いて印刷されてなるものであることを特徴とする識別情報付きケーブル。
【請求項５】
請求項１ないし４のいずれかに記載の識別情報付きケーブルにおいて、
前記ＩＣチップおよび前記アンテナの上に保護カバーを貼着したことを特徴とする識別情報付きケーブル。
【発明の詳細な説明】
【技術分野】
【０００１】
本発明は、ＩＣタグを備えた識別情報付きケーブルに関する。
【背景技術】
【０００２】
従来、ケーブルの記号又は符号その他の識別標識等の情報は、ケーブルの外装又は内部の絶縁体や防食層等に印刷等により設けられていた。しかしながら、印刷では情報量が限られることから、印刷してある記号等について製造メーカに問い合せる手間が掛かっていた。また、長期間に亘って風雨に晒されると記号が読みずらくなる等の問題が生じていた。
【０００３】
近年、ケーブル絶縁体表面あるいは絶縁体中に、識別情報を記録できるＩＣタグを配設した識別情報付きケーブルが案出されている。ＩＣタグにはケーブル製造者、製造年月日、規格等の情報が記録され、ケーブルの保守管理に利用している（特許文献１参照）。
ケーブルは、製造終了時にドラムに巻き取られた後、必要な長さに切り分けられて改めて別のドラムに巻き取られて出荷されることがある。あるいは、製造後、再び切り分けられ、これが梱包されて出荷されると、客先においてさらに切り分けられて様々な場所に使用されることもある。
【０００４】
このような場合に最終的に使用された状態のケーブルについて、その製造履歴や切り分け履歴などを確認することは、ケーブルを使用する側にとって比較的重要である。こうしたケーブルの製造履歴や切り分け履歴その他の情報を、図４に示すように、ＩＣタグを構成するＩＣチップ１４に記録し、このＩＣチップ１４とこれに接続されたアンテナ１６をケーブル１２に装着する試みが行われている。
【特許文献１】特開２００３−２０３５２７号公報
【発明の開示】
【発明が解決しようとする課題】
【０００５】
上記したＩＣタグを装着したケーブルを出荷時や使用時等に切り分ける際には、ＩＣタグの取付け位置に拘わらず所望の長さをベースとして切断するので、アンテナの中間部分が切断されることもある。
例えば、図４に示すように、ケーブル１２がアンテナ１６の中間部分１８で切断された場合は、ＩＣチップ１４が正常に機能しなくなるおそれがあった。
【０００６】
本発明は、以上の課題を解決するためになされたもので、アンテナの中間部分が切断されてもＩＣタグの機能が異常をきたさないようにされた識別情報付きケーブルを提供することを目的とする。
【課題を解決するための手段】
【０００７】
本発明の各実施例においては、それぞれ次のような構成により上記の課題を解決する。
〈構成１〉
ケーブル表面の所定位置に配設されたＩＣチップと、上記ケーブル表面の所定位置に配設され、上記ＩＣチップの接続端子に接続されたアンテナとを備え、上記アンテナは、ケーブル長手方向に、かつ所望の長さを超える長さで直線状に設けられていることを特徴とする識別情報付きケーブル。
【０００８】
ＩＣチップには、例えば、ケーブルの製品番号、導体の製造元、製造年月日等の製造履歴などの情報が常法により記録されている。
アンテナは、所望の長さ、すなわち、ＩＣチップを正常に機能させることができる長さよりも長い長さを有している。アンテナがケーブルに沿って一定の長さだけ貼り付けられていると、ケーブルを切り分けても十分な長さのアンテナがあれば、切り分けられた、どのケーブルからもＩＣチップからの情報が取得できる。ケーブルを切断する長さの最小単位に必ず１個のＩＣチップと必要な長さのアンテナが貼り付けてあるようにケーブルを製造するとよい。
【０００９】
〈構成２〉
構成１記載の識別情報付きケーブルにおいて、上記アンテナは、ＩＣチップの両側に、ケーブル長手方向に直線状に設けられていることを特徴とする識別情報付きケーブル。
【００１０】
ケーブルを切り分けた際に、ＩＣチップの両側にあるアンテナの一方側が切断されても、他方側のアンテナによりＩＣチップが正常に機能する。
【００１１】
〈構成３〉
構成１記載の識別情報付きケーブルにおいて、複数のアンテナがケーブル長手方向に平行に、かつ互いに一部が周方向に間隔を置いて重複するように直線状に設けられ、上記複数のアンテナの重複する各端部に、上記アンテナと同数のＩＣチップがそれぞれ配設されていることを特徴とする識別情報付きケーブル。
【００１２】
例えば、２本のアンテナは、それぞれに設けられた、２個のＩＣチップに対して互いに反対方向に延びている。ケーブルの切り分けに際し、いずれか一方のアンテナが切断されても、他方側のアンテナにより正常に機能する。
【００１３】
〈構成４〉
構成１ないし３のいずれかに記載の識別情報付きケーブルにおいて、上記アンテナは、上記ケーブル表面に、導電性のインクを用いて印刷されてなるものであることを特徴とする識別情報付きケーブル。
【００１４】
導電性のインクで印刷をすると、アンテナの形成が簡易であり安価にできる。
【００１５】
〈構成５〉
構成１ないし４のいずれかに記載の識別情報付きケーブルにおいて、上記ＩＣチップおよび上記アンテナの上に保護カバーを貼着したことを特徴とする識別情報付きケーブル。
【００１６】
保護カバーはＩＣチップとアンテナ全体を覆い、電気的機械的な保護をする。
【発明を実施するための最良の形態】
【００１７】
本発明は、ケーブルに全長に亘ってＩＣタグとなるＩＣチップとそのアンテナを所定間隔で取り付けたもので、ケーブルを切り分けた際に、ケーブルの切断と共にアンテナが中間部分で切断され、アンテナが所望の長さ以下になってＩＣタグが正常に機能しなくなることを防止している。なお、通常、ＩＣチップは一辺が１ｍｍ以下の微小なものであるので、切断される確率がかなり低いが、アンテナは、長さが数ｃｍで、直線状に設けられた場合、中間部分が切断される可能性がかなり大である。
以下、本発明の実施の形態を実施例ごとに詳細に説明する。
【実施例１】
【００１８】
図１は、実施例１の識別情報付きケーブルを示す説明図である。
図１に示すように、実施例１の識別情報付きケーブルは、ケーブル１２の表面の所定位置に配設されたＩＣチップ１４と、ＩＣチップ１４の両側の接続端子にそれぞれ接続された２本のアンテナ１６Ａ、１６Ｂとを備えている。すなわち、２本のアンテナ１６Ａ、１６Ｂは、１個のＩＣチップ１４の両側に、１本ずつケーブル１２の長手方向に直線状に設けられている。
【００１９】
ＩＣチップ１４は、周知構造のもので、例えば、ケーブルの製品番号、導体の製造元、製造年月日等の製造履歴、導体径、導体材料、ケーブル構造、介在の種類や構造、被覆材料や配合された樹脂の種類、出荷管理データ、リサイクル方法、リユース情報等の情報が常法により記録されている。
【００２０】
アンテナ１６Ａ、１６Ｂは、いずれも１本で、１個のＩＣチップ１４を機能させる長さを有するものである。従って、直線状に配置される２本のアンテナを合わせたとき、所望の長さを超える長さとなる。１個のＩＣチップ１４と２本の１６Ａ、１６Ｂは、１セットに組み合わされてケーブル１２の全長に亘って適宜間隔で配設されている。
【００２１】
このようにされた識別情報付きケーブルは、例えば、図１に示すように、例えば、切断線１８に沿って切断されて一方のアンテナ１６Ａも切断されても、他方のアンテナ１６Ｂが完全な形で残るために、ＩＣチップ１４の機能を喪失しない。
【００２２】
図２は、ケーブルに、ＩＣチップとアンテナを取り付ける場合の一例を示す説明図である。
図２において、符号１２はケーブル表面の一部を示している。ＩＣチップ１４は接着剤を使ってケーブル表面１２に接着され、あるいは埋設される。アンテナ１６は、アンテナ線材をケーブル１２の長手方向に延在させて接着するか、導電性インク等を印刷することによって設けられる。アンテナの印刷は、オフセット印刷、スクリーン印刷、インクジェット印刷、レーザ蒸着等の手段が用いられてもよい。
【００２３】
また、アンテナ１６は、例えば、識別テープに印刷されていたり、ケーブル１２のシースあるいは絶縁体の表面に印刷されていてもよい。
このようにして設けられたアンテナ１６は、ＩＣチップ１４の接続端子（図示せず）に常法により接続される。また、必要に応じて、ＩＣチップ１４および前記アンテナ１６の上に、粘着シール等の保護カバー２０を貼着する。保護カバー２０はＩＣチップとアンテナの要部あるいは全体を覆い、電気的および機械的な保護をする。
【実施例２】
【００２４】
図３は、実施例２の識別情報付きケーブルを示す説明図である。
図３に示すように、実施例２の識別情報付きケーブルは、２本のアンテナ１６Ａ、１６Ｂがケーブル１２の長手方向に平行に、かつ互いに一部が周方向に間隔を置いて重複するように直線状に設けられ、これらのアンテナ１６の重複する各端部に、それぞれＩＣチップ１４Ａ、１４Ｂを配設したものである。
【００２５】
なお、２本のアンテナ１６Ａ、１６Ｂがケーブル１２の長手方向に平行に、かつ互いに一部が周方向に間隔を置いて重複するように設けられているということは、図３に示すように、２本のアンテナ１６Ａ、１６Ｂの各一部が互いにケーブルの長さ方向の一部を共有している状態であるということである。
【００２６】
２本のアンテナ１６Ａ、１６Ｂと２個のＩＣチップ１４Ａ、１４Ｂは、それぞれ常法により接続されている。２本のアンテナ１６Ａ、１６Ｂは、各ＩＣチップ１４Ａ、１４Ｂからみて互いに反対方向に延びている。従って、ケーブル１２の切り分けに際し、ケーブル１２が切断線１８Ａ又は１８Ｂのいずれかで切断されて一方のアンテナの中間部分が切断されても、他方側のアンテナにより、それに接続されたＩＣチップが正常に機能する。
【００２７】
なお、アンテナおよびＩＣチップは、上記した２組に限らず、３組以上設けられてもよい。この場合も、複数の各アンテナは、ケーブルの長手方向に平行に、かつ互いに一部が周方向に間隔を置いて重複するように直線状に設けられている。
【図面の簡単な説明】
【００２８】
【図１】実施例１の識別情報付きケーブルを示す説明図である。
【図２】ケーブルにＩＣチップとアンテナを取り付ける場合の一例を示す説明図である。
【図３】実施例２の識別情報付きケーブルを示す説明図である。
【図４】従来の識別情報付きケーブルを示す説明図である。
【符号の説明】
【００２９】
１２  ケーブル
１４Ａ、１４Ｂ  ＩＣチップ
１６  アンテナ
１８  切断線
【図１】
2005347140.tif 000003
【図２】
2005347140.tif 000004
【図３】
2005347140.tif 000005
【図４】
2005347140.tif 000006